(57)【特許請求の範囲】
【請求項１】
放送波に含まれる放送情報を受信して再生する放送情報受信端末であって、
前記放送波に含まれる放送情報を受信する放送情報受信部と、
前記放送波に含まれる所望の放送情報の受信状態を判定する受信状態判定部と、
前記受信状態判定部によって、受信が可能であると判定された所望の放送情報を再生する再生部と、
前記再生部によって再生された放送情報を表示する表示部と、
所望の放送情報の受信が既に回復したことをユーザに通知する予約が登録されている場合にのみ、前記受信状態判定部によって受信が不可であると判定された所望の放送情報の受信が回復したときに、放送情報の受信が回復したことをユーザに通知することを決定する受信回復時処理予約管理部と、
前記受信回復時処理予約管理部の指示に従って、前記所望の放送情報の受信が回復したことをユーザに通知する受信回復時処理部と、
時間情報を出力するタイマ部とを備え、
前記受信回復時処理予約管理部は、
前記放送情報の受信が回復したことを通知すべき時間帯の設定を受け付け、
前記タイマ部が出力する時間情報に基づいて、前記設定された時間帯にだけ、前記放送情報の受信が回復したことをユーザに通知する、放送情報受信端末。
【請求項２】
前記受信回復時処理予約管理部は、
前記所望の放送情報の受信が回復したときに、放送情報の受信が回復したことをユーザに通知する予約が登録され、
前記予約が登録されている場合にだけ、前記受信が不可であると判定された所望の放送情報の受信が回復したか否かを前記受信状態判定部に問い合わせ、
前記受信状態判定部によって、前記所望の放送情報の受信が回復したと判定された場合に、前記放送情報の受信が回復したことをユーザに通知することを特徴とする、請求項１に記載の放送情報受信端末。
【請求項３】
前記受信回復時処理予約管理部は、前記受信状態判定部によって、前記所望の放送情報の受信が不可であると判定された場合に、前記所望の放送情報の受信が不可であることを、前記表示部に表示させることを特徴とする、請求項１に記載の放送情報受信端末。
【請求項４】
前記受信回復時処理予約管理部は、
前記所望の放送情報の受信が回復したことをユーザに通知するための通知方法が設定され、
前記受信状態判定部によって受信が不可であると判定された所望の放送情報の受信が回復したときに、前記設定された通知方法を用いて、前記放送情報の受信が回復したことをユーザに通知することを特徴とする、請求項１に記載の放送情報受信端末。
【請求項５】
前記通知方法は、バイブレーション機能を用いた通知方法であることを特徴とする、請求項４に記載の放送情報受信端末。
【請求項６】
マナーモードが設定されるマナーモード部をさらに備え、
前記受信回復時処理部は、前記マナーモード部にマナーモードが設定されているか否かに応じて、前記所望の放送情報の受信が回復したことをユーザに通知するための通知方法を変更することを特徴とする、請求項１に記載の放送情報受信端末。
【請求項７】
前記再生部は、前記放送波から電子番組情報を抽出する電子番組情報抽出部を含み、
前記受信回復時処理予約管理部は、
前記放送情報の受信が回復したことを通知すべき番組が設定され、
前記抽出された電子番組情報に基づいて、前記設定された番組だけ、前記放送情報の受信が回復したことをユーザに通知することを特徴とする、請求項１に記載の放送情報受信端末。
【請求項８】
前記受信回復時処理部は、前記再生部によって再生される放送情報を録画する録画部を含み、
前記録画部は、前記放送情報の受信が回復した場合に、当該回復した放送情報を録画することを特徴とする、請求項１に記載の放送情報受信端末。
【請求項９】
放送波に含まれる放送情報を受信して再生する方法であって、
前記放送波に含まれる放送情報を受信する放送情報受信ステップと、
前記放送波に含まれる所望の放送情報の受信状態を判定する受信状態判定ステップと、
前記受信状態判定ステップによって、受信が可能であると判定された所望の放送情報を再生する再生ステップと、
前記再生ステップによって再生された放送情報を表示する表示ステップと、
前記放送情報の受信が回復したことを通知すべき時間帯の設定を受け付けるステップと、
所望の放送情報の受信が回復したことをユーザに通知する予約が登録されている場合にだけ、前記受信状態判定ステップによって受信が不可であると判定された所望の放送情報の受信が回復したときに、前記設定された時間帯にだけ、放送情報の受信が回復したことをユーザに通知することを決定するステップと、
前記決定するステップの指示に従って、前記所望の放送情報の受信が回復したことをユーザに通知するステップとを備える、方法。
【請求項１０】
放送波に含まれる放送情報を受信して再生する放送情報受信端末が実行するプログラムであって、
前記放送波に含まれる放送情報を受信する放送情報受信ステップと、
前記放送波に含まれる所望の放送情報の受信状態を判定する受信状態判定ステップと、
前記受信状態判定ステップによって、受信が可能であると判定された所望の放送情報を再生する再生ステップと、
前記再生ステップによって再生された放送情報を表示する表示ステップと、
前記放送情報の受信が回復したことを通知すべき時間帯の設定を受け付けるステップと、
所望の放送情報の受信が回復したことをユーザに通知する予約が登録されている場合にだけ、前記受信状態判定ステップによって受信が不可であると判定された所望の放送情報の受信が回復したときに、前記設定された時間帯にだけ、放送情報の受信が回復したことをユーザに通知することを決定するステップと、
前記決定するステップの指示に従って、前記所望の放送情報の受信が回復したことをユーザに通知するステップとを備える、プログラム。
【請求項１１】
放送波に含まれる放送情報を受信して再生する放送情報受信端末の集積回路であって、
前記放送情報受信端末は、
前記放送波に含まれる放送情報を受信する放送情報受信部と、
前記受信された放送情報を再生する再生部と、
前記再生部によって再生された放送情報を表示する表示部とを備えており、
前記集積回路は、
前記放送波に含まれる所望の放送情報の受信状態を判定する受信状態判定部と、
所望の放送情報の受信が回復したことをユーザに通知する予約が登録されている場合にだけ、前記受信状態判定部によって受信が不可であると判定された所望の放送情報の受信が回復したときに、放送情報の受信が回復したことをユーザに通知することを決定する受信回復時処理予約管理部と、
前記受信回復時処理予約管理部の指示に従って、前記所望の放送情報の受信が回復したことをユーザに通知する受信回復時処理部とを備え、
前記受信回復時処理予約管理部は、
前記放送情報の受信が回復したことを通知すべき時間帯の設定を受け付け、
前記タイマ部が出力する時間情報に基づいて、前記設定された時間帯にだけ、前記放送情報の受信が回復したことをユーザに通知する、集積回路。
【発明の詳細な説明】
【技術分野】
【０００１】
本発明は、放送波に含まれる放送情報（放送番組）を受信して再生する放送情報受信端末に関し、より特定的には、放送情報が受信できなければ、受信できない旨をユーザに通知し、放送情報の受信が回復すれば、受信が回復した旨をユーザに通知する放送情報受信端末に関する。
【背景技術】
【０００２】
放送情報受信端末は、放送波に含まれる放送情報を受信して再生することができる移動可能な端末である。放送情報受信端末は、あらゆる場所で放送波を受信して、放送波に含まれる放送情報を再生することが求められる。そのため、放送情報受信端末は、端末の移動などに伴って、放送情報が受信できなかった場合、その旨をユーザに通知する必要がある。
【０００３】
従来、このような放送情報受信端末としては、放送番組が受信できなかった場合に、その旨を画面に表示する車載用放送受信端末があった（例えば、特許文献１参照）。図１２は、従来の車載用放送受信端末が、放送番組を受信できなかった場合に表示する画面の一例を示す図である。従来の車載用放送受信端末は、放送番組が受信できなかった場合に、図１２に示すような画面を表示して、その番組が受信不可であることをユーザに通知していた。
【特許文献１】特開２００３−６１００４号公報
【発明の開示】
【発明が解決しようとする課題】
【０００４】
しかしながら、従来の車載用放送受信端末は、放送番組が受信できなかった場合に、その番組が受信不可であることをユーザに通知していたが、その後、放送番組が受信可能になったとしても、何らの処理も行っていなかった。そのため、ユーザは、放送番組の受信が回復したことに気付かず、放送番組を見逃してしまうといった問題があった。
【０００５】
特に、放送情報受信端末が携帯電話である場合、携帯電話のユーザは、放送番組が受信できなかったことを確認すると、携帯電話を、ポケットやカバンの中等に一端保管しておくことが多い。このような場合、ユーザは、放送番組の受信が回復したことに気付かない可能性が高く、上述した問題がより顕著に発生していた。
【０００６】
それ故に、本発明の目的は、放送情報の受信が回復した場合に、放送情報の受信が回復したことをユーザに通知し、ユーザが放送番組の受信が回復したことに気づかずに、番組の視聴を見逃すことを防ぐことができる放送情報受信端末を提供することである。
【課題を解決するための手段】
【０００７】
本発明は、放送波に含まれる放送情報を受信して再生する放送情報受信端末に向けられている。そして、上記目的を達成するために、本発明の放送情報受信端末は、放送情報受信部と、受信状態判定部と、再生部と、表示部と、受信回復時処理予約管理部と、受信回復時処理部とを備える。放送情報受信部は、放送波に含まれる放送情報を受信する。受信状態判定部は、放送波に含まれる所望の放送情報の受信状態を判定する。再生部は、受信状態判定部によって、受信が可能であると判定された所望の放送情報を再生する。表示部は、再生部によって再生された放送情報を表示する。受信回復時処理予約管理部は、受信状態判定部によって受信が不可であると判定された所望の放送情報の受信が回復したときに、放送情報の受信が回復したことをユーザに通知するか否かを決定する。受信回復時処理部は、受信回復時処理予約管理部の指示に従って、所望の放送情報の受信が回復したことをユーザに通知する。
【０００８】
好ましくは、受信回復時処理予約管理部は、所望の放送情報の受信が回復したときに、放送情報の受信が回復したことをユーザに通知する予約が登録され、その予約が登録されている場合にだけ、受信が不可であると判定された所望の放送情報の受信が回復したか否かを受信状態判定部に問い合わせ、受信状態判定部によって、所望の放送情報の受信が回復したと判定された場合に、放送情報の受信が回復したことをユーザに通知する。
【０００９】
好ましくは、受信回復時処理予約管理部は、受信状態判定部によって、所望の放送情報の受信が不可であると判定された場合に、所望の放送情報の受信が不可であることを、表示部に表示させる。
【００１０】
好ましくは、受信回復時処理予約管理部は、所望の放送情報の受信が回復したことをユーザに通知するための通知方法が設定され、受信状態判定部によって受信が不可であると判定された所望の放送情報の受信が回復したときに、設定された通知方法を用いて、放送情報の受信が回復したことをユーザに通知する。例えば、この通知方法は、バイブレーション機能を用いた通知方法である。
【００１１】
また、放送情報受信端末は、マナーモードが設定されるマナーモード部をさらに備えていてもよい。このような場合、受信回復時処理部は、マナーモード部にマナーモードが設定されているか否かに応じて、所望の放送情報の受信が回復したことをユーザに通知するための通知方法を変更する。
【００１２】
また、放送情報受信端末は、時間情報を出力するタイマ部をさらに備えていていもよい。このような場合、受信回復時処理予約管理部は、放送情報の受信が回復したことを通知すべき時間帯が設定され、タイマ部が出力する時間情報に基づいて、設定された時間帯にだけ、放送情報の受信が回復したことをユーザに通知する。
【００１３】
また、再生部は、放送波から電子番組情報を抽出する電子番組情報抽出部を含んでいてもよい。このような場合、受信回復時処理予約管理部は、放送情報の受信が回復したことを通知すべき番組が設定され、抽出された電子番組情報に基づいて、設定された番組だけ、放送情報の受信が回復したことをユーザに通知する。
【００１４】
また、受信回復時処理部は、再生部によって再生される放送情報を録画する録画部を含んでいてもよい。このような場合、録画部は、放送情報の受信が回復した場合に、回復した放送情報を録画する。
【００１５】
また、上述した放送情報受信端末が備える各構成は、放送情報受信端末に一連の処理手順を与える方法としても捉えることができる。すなわち、放送情報受信端末において、放送波に含まれる放送情報を受信する放送情報受信ステップと、放送波に含まれる所望の放送情報の受信状態を判定する受信状態判定ステップと、受信状態判定ステップによって、受信が可能であると判定された所望の放送情報を再生する再生ステップと、再生ステップによって再生された放送情報を表示する表示ステップと、受信状態判定ステップによって受信が不可であると判定された所望の放送情報の受信が回復したときに、放送情報の受信が回復したことをユーザに通知するか否かを決定するステップと、決定するステップの指示に従って、所望の放送情報の受信が回復したことをユーザに通知するステップとを備える、方法である。
【００１６】
好ましくは、この方法は、一連の処理手順を放送情報受信端末に実行させるためのプログラムの形式で提供される。このプログラムは、コンピュータに読み取り可能な記憶媒体に記憶されてもよい。
【００１７】
また、本発明は、放送波に含まれる放送情報を受信して再生する放送情報受信端末の集積回路にも向けられている。そして、上記目的を達成するために、放送情報受信端末は、放送波に含まれる放送情報を受信する放送情報受信部と、受信された放送情報を再生する再生部と、再生部によって再生された放送情報を表示する表示部とを備える。また、集積回路は、放送波に含まれる所望の放送情報の受信状態を判定する受信状態判定部と、受信状態判定部によって受信が不可であると判定された所望の放送情報の受信が回復したときに、放送情報の受信が回復したことをユーザに通知するか否かを決定する受信回復時処理予約管理部と、受信回復時処理予約管理部の指示に従って、所望の放送情報の受信が回復したことをユーザに通知する受信回復時処理部とを備える。
【発明の効果】
【００１８】
本発明の放送情報受信端末によれば、ユーザが選択した放送情報の受信が不可である場合に、その旨を知らせる受信不可通知を画面に表示する。これによって、ユーザに放送情報が受信できないことを知るせることができる。また、放送情報の受信が回復したときに、その旨を知らせる受信回復通知を画面に表示する。これによって、ユーザが放送情報の受信が回復したことに気付かずに、放送情報を見逃してしまうという問題を防ぐことができる。
【００１９】
また、本発明の放送情報受信端末は、放送情報の受信が回復したことを通知する予約（すなわち、受信回復予約）が登録されている場合にだけ、放送情報の受信が回復したことをユーザに通知する。このため、視聴が回復した場合であっても、ユーザが望まない場合には通知を行わないようにすることができる。
【００２０】
また、本発明の放送情報受信端末は、放送情報の受信が回復したときに、画面表示以外の方法を用いて受信回復通知を行うことができる。例えば、放送情報受信端末が携帯電話である場合、放送情報受信端末は、携帯電話のスピーカを用いて音声によって受信回復通知を行なってもよい。また、自身の携帯電話宛にメールを送信することによって受信回復通知を行なってもよい。また、バイブレーション機能を用いることよって受信回復通知を行なってもよい。さらには、これらの機能をユーザの嗜好に合わせて選択できるようにしてもよい。これによって、放送情報受信端末は、ユーザが希望する方法を用いて受信回復通知を行うことができる。
【００２１】
また、本発明の放送情報受信端末は、ユーザが指定した時間帯にだけ、放送情報の受信が回復したことをユーザに通知する。これによって、例えば就寝時間や、希望する番組が終了した後などのユーザが望まない時間帯には、受信回復時通知を行わないようにすることができる。
【００２２】
また、本発明の放送情報受信端末は、放送情報の受信が回復したことをユーザに知らせる通知方法を、状況に応じて変更することができる。これによって、マナーモードが設定されているかどうかに応じて受信回復通知の方法を変更したり、他の機能が使用されている場合に、他の機能の使用を妨げないように受信回復通知の方法を変更することができる。
【００２３】
また、本発明の放送情報受信端末は、再生部によって再生される放送情報を録画する録画部を含み、録画部は、放送情報の受信が回復した場合に、回復した放送情報を録画する。これによって、受信が回復した所望の放送情報を利用者がすぐに視聴できないような場合であっても、録画された放送情報を用いて視聴できるようになるので、ユーザにとっての利便性が向上する。
【発明を実施するための最良の形態】
【００２４】
以下、本発明の各実施形態について、図面を参照しながら説明する。
【００２５】
（第１の実施形態）
図１は、本発明の第１の実施形態に係る放送情報受信端末の構成の一例を示すブロック図である。図１において、放送情報受信端末は、放送情報受信部１と、受信状態判定部２と、受信回復時処理予約管理部３と、再生部４と、入力部５と、表示部６と、受信回復時処理部７とを備える。
【００２６】
なお、本発明の放送情報受信端末は、携帯型の端末（例えば、携帯電話など）への適用を想定しているが、カーナビゲーションシステムや、ＰＤＡ（Ｐｅｒｓｏｎａｌ  Ｄｉｇｉｔａｌ  Ａｓｓｉｓｔａｎｔ）などにも適用可能である。
【００２７】
放送情報受信部１は、例えばＴＶアンテナで構成することができる。放送情報受信部１は、放送局が送出している放送情報（放送番組）を含む放送波を受信し、ユーザが選局可能なチャンネルに関する放送情報を取得する。なお、放送情報とは、動画や音声などの異なるタイプのデータが混在し多重化されたデータである。
【００２８】
受信状態判定部２は、放送情報受信部１が受信した放送情報を解析し、放送情報の取得状況や放送情報の解析結果から、所望の放送情報が受信可能であるかどうかを判定し、当該判定結果を他の構成に通知する機能を有する。受信状態判定部２は、例えば、放送情報受信端末がデジタルＴＶ放送を受信する場合には、ＰＭＴ（Ｐｒｏｇｒａｍ  Ｍａｐ  Ｔａｂｌｅ）が取得ができるかどうかで、放送情報が受信可能であるかどうかを判定してもよい。この場合、受信状態判定部２は、ＰＭＴが取得できるならば、放送情報が受信可能であると判定し、ＰＭＴが取得できなければ、放送情報が受信不可であると判定する。また、受信状態判定部２は、放送情報が視聴可能なレベルにある場合や、放送情報が聞き取り可能なレベルにある場合に、放送情報が受信可能であると判定してもよい。
【００２９】
再生部４は、例えばその内部に、多重化された放送情報を逆多重化し所望の放送情報を抽出する手段（例えば、デマックス）と、抽出した放送情報を復号化する手段（例えば、デコーダ）とを有する。再生部４は、受信状態判定部２から受信した放送情報に対して、デマックスによる逆多重化、およびデコーダによる復号化を行う。
【００３０】
表示部６は、例えばディスプレイであり、利用者が選択したチャンネルに対応した所望の放送情報や画像等の表示を行う。入力部５は、例えば、放送情報受信端末に設けられたボタンが押下されたことによるユーザからの入力を検知し、入力に対応した内容を他の構成に通知する。なお、ボタンは、例えば、放送情報受信端末がカーナビゲーションシステムであれば、遠隔操作するリモコンのボタンであってもよい。
【００３１】
受信回復時処理予約管理部３は、受信状態判定部２から所望の放送情報の受信が不可であるとの判定結果を受けた場合、受信不可通知を表示するための画像またはメッセージを表示部６へ送る。受信不可通知とは、放送情報の受信が不可であることをユーザに知らせるための通知である。また、受信回復時処理予約管理部３は、放送情報の受信が回復した時に、ユーザから受信回復時処理予約を受け付ける。受信回復時処理予約とは、放送情報の受信が回復したときに、所定の処理を行って、放送情報の受信が回復したことをユーザに知らせるべきか否かの予約である。受信回復時処理予約管理部３は、受信回復時処理予約が行われた場合、受信状態判定部２に対して、放送情報の受信が回復したか否かの判定を依頼し、その結果を受信回復時処理部７に渡す。
【００３２】
受信回復時処理部７は、受信回復時処理予約管理部３から所望の放送情報の受信が可能であるとの判定結果を受けた場合、受信回復通知を表示するための画面またはメッセージを表示部６へ送る。受信回復通知とは、放送情報の受信が回復したことをユーザに知らせるための通知である。受信回復時処理部７は、ユーザに対して受信回復通知を行なった結果、放送情報を再生するように指示があれば、その放送情報を再生するように再生部４に指示する。
【００３３】
図２は、本発明の第１の実施形態に係る放送情報受信端末の動作の一例を示すフローチャートである。図２を参照して、ユーザは、放送情報受信アプリケーションが搭載された放送情報受信端末において、入力部５を用いて放送情報受信アプリケーションを起動後、視聴したい番組を選択し、視聴を開始する（ステップＳ１）。
【００３４】
視聴開始後、放送情報受信部１は、放送情報を含む放送波を受信し、受信状態判定部２に送る。受信状態判定部２は、放送情報受信部１が受信した放送情報を解析し、放送情報の取得状況や放送情報の解析結果から、ユーザが選択した放送情報が受信可能であるかどうかを判定する（ステップＳ２）。
【００３５】
受信状態判定部２は、ユーザが選択した放送情報が受信可能であると判定した場合は、放送情報を再生部４に通知する。再生部４は、受信状態判定部２から受け取った放送情報を再生し、表示部６に対して映像の表示を行う（ステップＳ３）。
【００３６】
ユーザが入力部５を介して視聴終了を選択した場合は、放送情報受信端末は、放送情報受信アプリケーションの終了処理を行い、放送情報の受信から映像の表示までの一連の処理を終了する（ステップＳ４，Ｓ５）。一方、ユーザが入力部５を介して視聴終了を選択しなかった場合は、放送情報受信端末は、ステップＳ２の動作に戻り、再びユーザが選択した放送情報が受信可能であるかどうかを判定する。
【００３７】
ステップＳ２において、受信状態判定部２は、ユーザが選択した放送情報が受信不可であると判定した場合は、その旨を示す受信不可通知を、受信回復時処理予約管理部３に対して送る（ステップＳ６）。
【００３８】
受信回復時処理予約管理部３は、受信不可通知を受け取ると、受信不可通知を示す画面またはメッセージを表示部６へ送る。この結果、表示部６は、受信不可通知を示す画面またはメッセージを表示する（ステップＳ７）。図３は、表示部６に表示される受信不可通知の一例を示す図である。図３において、表示部６は、受信不可通知として、表示画面６０に、所望の放送情報が受信ができなくなったことを示すメッセージ６０１や、ＧＵＩ（Ｇｒａｐｈｉｃａｌ  Ｕｓｅｒ  Ｉｎｔｅｒｆａｃｅ）を用いて構成した２つの入力ボタン６０２、６０３（この例では、終了ボタン、及び受信回復予約ボタン）を表示する。これによって、ユーザは、入力ボタン６０２の押下で、放送情報の視聴を終了する選択や、入力ボタン６０３の押下で、受信回復時予約を設定する選択を入力することができる。
【００３９】
すなわち、表示部６に表示される画面またはメッセージは、ユーザからの入力を促すものである。受信回復時処理予約管理部３は、入力部５を介して、ユーザからどのような選択が入力されたのかを判定する。具体的には、受信回復時処理予約管理部３は、入力部５を介して、ユーザから受信回復時予約を設定する選択が入力されたのか、あるいは放送情報の受信を終了する選択が入力されたのかどうかを判定する（ステップＳ８）。
【００４０】
ユーザから放送情報の受信を終了する選択が入力された場合には、放送情報受信端末は、ステップＳ５の終了処理を行う。これによって、放送情報受信端末は、ユーザが望まない場合には、受信時回復通知を行なわないようにすることができる。一方、受信回復時予約を設定する選択が入力された場合には、受信回復時処理予約管理部３は、受信状態判定部２に対して、ユーザが選局したチャンネルに対応した放送情報が受信可能であるか否かの判定を依頼する。依頼を受けた受信状態判定部２は、放送情報受信部１が受信した放送情報を解析し、ユーザが選択した放送情報が受信可能であるかどうかを判定する（ステップＳ９）。
【００４１】
受信状態判定部２は、放送情報の受信が可能であると判定した場合、放送情報の受信が可能であることを受信回復時処理予約管理部３に通知する。この通知を受けた受信回復時処理予約管理部３は、放送情報の受信が可能であることを受信回復時処理部７に通知する。この通知を受けた受信回復時処理部７は、受信回復通知を示す画面またはメッセージを表示部６へ送る。この結果、表示部６は、受信回復通知を示す画面またはメッセージを表示する（ステップＳ１０）。
【００４２】
図４は、表示部６に表示される受信回復通知の一例を示す図である。図４において、表示部６は、受信回復通知として、表示画面６０に、回復した放送情報を視聴するかどうかをユーザに問い合わせるメッセージ６０４や、ＧＵＩを用いて構成した２つの入力ボタン６０５、６０６（この例では、はいボタン、いいえボタン）を表示する。これによって、ユーザは、入力ボタン６０５の押下で、回復した放送情報の視聴を再開する選択や、入力ボタン６０６の押下で、回復した放送情報の視聴を再開せずに、放送情報の視聴を終了する選択を入力することができる。
【００４３】
受信回復時処理部７は、入力部５を介して、ユーザからどのような選択が入力されたのかを判定する。具体的には、受信回復時処理部７は、回復した放送情報の視聴を再開する選択が入力されたのか、あるいは放送情報の視聴を終了する選択が入力されたのかを判定する（ステップＳ１１）。
【００４４】
受信回復時処理部７は、ユーザから回復した放送情報の視聴を再開する選択が入力された（すなわち、入力ボタン６０５が押下された）場合には、ユーザが選択した放送情報を再生するように再生部４に指示する。再生部４は、指示された放送情報を再生し、表示部６に対して映像の表示を行う（ステップＳ４）。なお、受信回復時処理部７は、図４に示す画面を表示部６に表示させること無く、視聴再開させてもよい。一方、受信回復時処理部７は、ユーザから放送情報の視聴を終了する選択が入力された（すなわち、入力ボタン６０６が押下された）場合には、ステップＳ５の終了処理を行なう。
【００４５】
以上のように、本発明の第１の実施形態に係る放送情報受信端末によれば、ユーザが選択した放送情報の受信が不可である場合に、その旨を知らせる受信不可通知を画面に表示する。これによって、ユーザに放送情報が受信できないことを知らせることができる。また、放送情報の受信が回復したときに、その旨を知らせる受信回復通知を画面に表示する。これによって、ユーザが放送情報の受信が回復したことに気付かずに、放送情報を見逃してしまうという問題を防ぐことができる。
【００４６】
また、放送情報の受信が回復したことを通知する予約（すなわち、受信回復予約）が登録されている場合にだけ、放送情報の受信が回復したことをユーザに通知する。このため、視聴が回復した場合であっても、ユーザが望まない場合には通知を行わないようにすることができる。
【００４７】
また、放送情報受信端末は、放送情報の受信が回復したときに、図４に示すような画面を表示して、放送情報の受信が回復したことをユーザに知らせる受信回復通知を行っていたが、画面表示以外の方法を用いて受信回復通知を行ってもよい。例えば、放送情報受信端末が携帯電話である場合、放送情報受信端末は、携帯電話のスピーカを用いて音声によって受信回復通知を行なってもよい。また、自身の携帯電話宛にメールを送信することによって受信回復通知を行なってもよい。また、バイブレーション機能を用いることよって受信回復通知を行なってもよい。さらには、これらに機能をユーザの嗜好に合わせて選択できるようにしてもよい。これによって、放送情報受信端末は、ユーザが希望する方法を用いて受信回復通知を行うことができる。
【００４８】
図５は、表示部６に表示される受信回復通知の種類を設定するための画面の一例を示す図である。放送情報受信端末は、図５に示すような画面を、受信回復予約が選択された後（すなわち、図３に示す画面を介して受信回復予約が選択された後）や、あるいは別のタイミングで表示して、受信回復通知の方法をユーザに選択させることができる。このような場合、放送情報受信端末の表示画面６０には、いずれの通知方法を選択するのかを促すメッセージ６０７や、ＧＵＩを用いて構成した選択項目６０８〜６１１等が表示される。例えば、各選択項目６０８〜６１１の左隣には丸印があり、実際に選択された項目には、黒い丸印が表示される。図５に示す例では、選択項目６０８（すなわち、表示画面）が選択されている。ユーザは、入力部５を操作することによって、各選択項目を適宜選択できる。
【００４９】
このような画面が表示画面６０に表示された場合、ユーザは、入力部５を操作することによって、予め選択項目６０８〜６１１のいずれかを選択する。ユーザに選択された項目は、放送情報受信端末内の記憶手段（例えば、メモリやハードディスク等）に保持され、放送情報の受信が回復したときには、選択された項目に対応した受信回復通知が行われる。これによって、放送情報受信端末は、ユーザの希望に沿った受信回復通知を行うことができる。
【００５０】
（第２の実施形態）
図６は、本発明の第２の実施形態に係る放送情報受信端末の構成の一例を示すブロック図である。図６において、本発明の第２の実施形態に係る放送情報受信端末は、第１の実施形態と比較して、時間情報を出力するタイマ部８をさらに備える。第２の実施形態に係る放送情報受信端末は、タイマ部８を備えることで、ユーザが予約した時間帯にだけ、放送情報の受信が回復したことをユーザに通知することができる。
【００５１】
図７は、本発明の第２の実施形態に係る放送情報受信端末の動作の一例を示すフローチャートである。図７を参照して、第２の実施形態に係る放送情報受信端末は、ステップＳ８ａ以外の動作は、図２に示した第１の実施形態と同様である。第２の実施形態に係る放送情報受信端末は、ステップ７で、受信不可通知を示す画面またはメッセージを表示した後、受信回復時の条件設定を行う（ステップＳ８ａ）。
【００５２】
図８は、ステップＳ８ａの詳細な動作の一例を示すフローチャートである。図８を参照して、受信回復時処理予約管理部３ａは、指定時間入力画面を表示するように表示部６に指示する。指定時間入力画面とは、ユーザに放送情報の受信が回復したこと知らせる時間帯（以下、指定時間と記す）を入力させる画面である。この結果、表示部６は、指定時間入力画面を表示する（ステップＳ８１）。
【００５３】
放送情報受信端末は、指定時間入力画面を介して、ユーザから指定時間が入力されたかどうかを判断する（ステップＳ８２）。ユーザから指定時間の入力がない場合には、放送情報受信端末は、ステップＳ５の終了処理を行う。一方、ユーザから指定時間が入力された場合には、受信回復時処理予約管理部３ａは、入力された指定時間をメモリなどの記憶手段（図示せず）に保存する（ステップＳ８３）。
【００５４】
図９は、表示部６に表示される指定時間入力画面の一例を示す図である。図９において、表示部６は、指定時間入力画面として、表示画面６０に、指定時間の入力を促すためのメッセージ６１２や、ＧＵＩを用いて構成した入力ボックス６１３を表示する。これによって、ユーザは、入力部５を操作して入力ボックス６１３を指定し、希望する指定時間を入力することができる。図９に示す例では、指定時間として、２０：００〜２１：００の時間帯が入力されているものとする。
【００５５】
次に、受信回復時処理予約管理部３ａは、タイマ部８より得られる時間情報（すなわち、現在時間）が、指定時間内にあるかどうかを判断する（ステップＳ８４）。現在時間が指定時間内にある場合は、受信回復時処理予約管理部３ａは、ステップ９へ進み、放送情報の受信が可能かどうかの判断を受信状態判定部２に依頼する。一方、現在時間が指定時間内にない場合は、受信回復時処理予約管理部３ａは、現在時刻が指定時間を超えているかどうかを判断する（ステップＳ８５）。タイマ部８より得られる現在時間が、指定時間を超えている場合には、受信回復時処理予約管理部３ａは、ステップＳ５の終了処理を行う。一方、タイマ部８より得られる現在時間が、指定時間を超えていない場合（すなわち、現在時刻が指定時間になっていない場合）には、受信回復時処理予約管理部３ａは、ステップＳ８４の処理に戻る。これ以降の動作は、第１の実施形態と同様である。
【００５６】
以上のように、本発明の第２の実施形態に係る放送情報受信端末によれば、ユーザが予約した時間帯にだけ、放送情報の受信が回復したことをユーザに通知するので、就寝時間や、希望する番組が終了した後などのユーザが望まない時間帯には、受信回復時通知を行わないようにすることができる。
【００５７】
なお、本実施形態において、放送情報受信端末は、ユーザが指定した時間帯にだけ、放送情報の受信が回復したことを通知するようにしたが、例えば、ＴＶ番組のプログラムをデータ化した電子番組情報に対応したＥＰＧ（Ｅｌｅｃｔｒｉｃ  Ｐｒｏｇｒａｍ  Ｇｕｉｄｅ）情報を用いて、ユーザが予約した番組単位に、放送情報の受信が回復したことをユーザに通知するようにしてもよい。このような場合、放送情報受信端末は、例えば、放送波からＥＰＧ情報を抽出する機能を再生部４に持たせる。
【００５８】
図１０は、このような再生部４の具体的な構成の一例を示すブロック図である。図１０において、再生部４は、デマックス部４１と、デコーダ部４２とを含む。デマックス部４１は、多重化された放送情報を逆多重化し、所望の放送情報を抽出する。デコーダ部４２は、抽出した放送情報からＥＰＧ情報を抽出して復号化し、受信回復時処理予約管理部３ａへ出力するとともに、抽出した放送情報からユーザが選択したチャンネルに対応する映像／音声を復号化し、表示部６へ出力する。このような場合、受信回復時処理予約管理部３ａは、デコーダ部４２からＥＰＧ情報を受け取るとともに、タイマ部８から現在時刻を受け取り、ユーザが指定した番組が放送されている時間帯にだけ、受信回復時通知を行う。これによって、放送情報受信端末は、番組毎に受信回復通知を行なうかどうかを選択することができる。なお、放送情報受信端末は、ＥＰＧ情報を抽出するＥＰＧ情報抽出部（図示せず）を、デコーダ部４２とは独立に備えてもよい。
【００５９】
また、本実施形態において、放送情報受信端末は、ユーザが指定した時間帯にだけ、放送情報の受信が回復したことを通知するようにしたが、ユーザが指定した時間帯にだけ、放送情報の受信が回復したことを通知しないようにしてもよい。これによって、放送情報受信端末は、ユーザにとってさらに利便性の高いものとなる。
【００６０】
（第３の実施形態）
図１１は、本発明の第３の実施形態に係る放送情報受信端末の構成の一例を示すブロック図である。図１１において、第３の実施形態に係る放送情報受信端末は、第１及び第２の実施形態と比較して、マナーモード部１０をさらに備える。
【００６１】
図１１において、マナーモード部１０には、入力部５を介して、マナーモードが設定される。受信回復時処理部７ａは、マナーモード部１０にマナーモードが設定されているかどうかに応じて、放送情報の受信が回復したことをユーザに知らせるための通知方法（すなわち、受信回復通知の方法）を変更する。例えば、受信回復時処理部７ａは、マナーモード部１０にマナーモードが設定されている場合には、受信回復通知の方法として、バイブレーション機能などのマナーモードに対応した方法を用いる。あるいは、受信回復時処理部７ａは、マナーモード部１０にマナーモードが設定されている場合には、受信回復通知を行ないようにしてもよい。
【００６２】
なお、放送情報受信端末は、マナーモードが設定されている場合だけでなく、その他の場合にも、受信回復通知の方法を変更してもよい。例えば、放送情報受信端末は、受信回復通知を行う際には、他番組を視聴しているかどうかを判断し、視聴していると判断した場合には、その視聴を妨げないような方法を用いて、受信回復通知を行ってもよい。あるいは、他番組を視聴している場合には、受信回復通知を行なわないようにしてもよい。
【００６３】
また、放送情報受信端末が携帯電話である場合、放送情報受信端末は、ユーザが通話中であるか否かを判断して、通話中である場合には、受信回復通知の方法を変更してもよい。例えば、放送情報受信端末は、ユーザが通話中である場合には、受信回復通知を行なわないようにしてもよい。あるいは、放送情報受信端末は、ユーザがテレビ電話によって通話中である場合には、受信回復通知を表示画面に表示することで、ユーザに放送情報の受信が回復したことを知らせてもよい。
【００６４】
以上のように、本発明の第３の実施形態に係る放送情報受信端末によれば、放送情報の受信が回復したことをユーザに知らせるための通知方法（すなわち、受信回復通知の方法）を、状況に応じて変更することができる。これによって、マナーモードが設定されていかどうかに応じて受信回復通知の方法を変更したり、他の機能が使用されている場合に、他の機能の使用を妨げないような方法を用いて、受信回復通知を行なうことができる。
【００６５】
なお、本発明の放送情報受信端末は、放送情報の受信が回復したときに、予めユーザが選択したチャンネルの放送情報を録画するようにしてもよい。このような場合、放送情報受信端末は、自身が備えるメモリの残量を参照して、メモリの残量が一定値以下の場合には、録画をしないようにすることもできる。あるいは、放送情報受信端末は、録画された放送情報を用いて、追っかけ再生するようにしてもよい。これによって、受信が回復した放送情報を利用者がすぐに視聴できないような場合であっても、録画された放送情報を用いて視聴できるようになるので、ユーザにとっての利便性が向上する。
【００６６】
また、本発明の放送情報受信端末は、バッテリの残量に応じて、受信回復通知を行なうか否かを決定してもよいものとする。このような場合、例えば、受信回復時処理予約管理部３は、ステップ９の動作において、受信状態判定部２に対して、ユーザが選局したチャンネルに対応した放送情報が受信可能であるか否かの判定を依頼する前に、バッテリ（図示せず）の残量をチェックする。受信回復時処理予約管理部３は、バッテリの残量が一定量以下であれば、ステップ５の終了処理を行なうようにしてもよい。
【００６７】
なお、第１〜３の実施形態で述べた放送情報受信端末が行うそれぞれの処理手順は、記憶装置（ＲＯＭ、ＲＡＭ、ハードディスク等）に格納された上述した処理手順を実行可能な所定のプログラムデータが、ＣＰＵによって解釈実行されることで実現されてもよい。この場合、プログラムデータは、記憶媒体を介して記憶装置内に導入されてもよいし、記憶媒体上から直接実行されてもよい。なお、記憶媒体は、ＲＯＭやＲＡＭやフラッシュメモリ等の半導体メモリ、フレキシブルディスクやハードディスク等の磁気ディスクメモリ、ＣＤ−ＲＯＭやＤＶＤやＢＤ等の光ディスクメモリ、及びメモリカード等をいう。また、記憶媒体は、電話回線や搬送路等の通信媒体を含む概念である。
【００６８】
また、第１〜３の実施形態で述べた放送情報受信端末において、受信状態判定部２、受信回復時処理予約管理部３、及び受信回復時処理部７は、それぞれ集積回路であるＬＳＩとして実現することができる。これらは、個別に１チップ化されてもよいし、それぞれにおいて全てまたは一部を含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００６９】
また、集積回路化の手法はＬＳＩに限るものではなく、専用回路又は汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用してもよい。さらには、半導体技術の進歩又は派生する別技術によりＬＳＩに置き換わる集積回路化の技術が登場すれば、当然、その技術を用いて機能ブロックの集積化を行ってもよい。バイオ技術の適応例が可能性としてありえる。
【産業上の利用可能性】
【００７０】
本発明の放送情報受信端末は、放送情報を受信して再生することができる携帯電話端末、カーナビゲーションシステム、及びＰＤＡ等に適用することができる。
【図面の簡単な説明】
【００７１】
【図１】本発明の第１の実施形態に係る放送情報受信端末の構成の一例を示すブロック図
【図２】本発明の第１の実施形態に係る放送情報受信端末の動作の一例を示すフローチャート
【図３】表示部６に表示される受信不可通知の一例を示す図
【図４】表示部６に表示される受信回復通知の一例を示す図
【図５】表示部６に表示される受信回復通知の種類を設定するための画面の一例を示す図
【図６】本発明の第２の実施形態に係る放送情報受信端末の構成の一例を示すブロック図
【図７】本発明の第２の実施形態に係る放送情報受信端末の動作の一例を示すフローチャート
【図８】ステップＳ８ａの詳細な動作の一例を示すフローチャート
【図９】表示部６に表示される指定時間入力画面の一例を示す図
【図１０】再生部４の具体的な構成の一例を示すブロック図
【図１１】本発明の第３の実施形態に係る放送情報受信端末の構成の一例を示すブロック図
【図１２】従来の車載用放送受信端末が、放送番組を受信できなかった場合に表示する画面の一例を示す図
【符号の説明】
【００７２】
１  放送情報受信部
２  受信状態判定部
３，３ａ  受信回復時処理予約管理部
４  再生部
５  入力部
６  表示部
６０  表示画面
７  受信回復時処理部
８  タイマ部
１０  マナーモード部
【図１】
0004789923.tif 000002
【図２】
0004789923.tif 000003
【図３】
0004789923.tif 000004
【図４】
0004789923.tif 000005
【図５】
0004789923.tif 000006
【図６】
0004789923.tif 000007
【図７】
0004789923.tif 000008
【図８】
0004789923.tif 000009
【図９】
0004789923.tif 000010
【図１０】
0004789923.tif 000011
【図１１】
0004789923.tif 000012
【図１２】
0004789923.tif 000013